(57)【要約】      （修正有）【課題】前眼部の３次元画像から水晶体の赤道部の３次元的な位置を精度良く算出可能とする画像処理装置、画像処理方法、およびプログラムを提供する。【解決手段】眼底撮影装置は、被検眼の水晶体前面および水晶体後面が写る複数の前眼部断層画像を取得する画像生成部と、複数の前眼部断層画像のそれぞれについて水晶体前面と水晶体後面を曲線で近似し、水晶体前面を近似する曲線と水晶体後面を近似する曲線の交点を被検眼の水晶体赤道部として算出するする曲線交点算出部と、水晶体赤道部を示す３次元マップを作成する３次元マップ処理部とを有する。【選択図】図２
2016029968.tif 000002
【特許請求の範囲】
【請求項１】
被検眼の水晶体前面および水晶体後面が写る複数の前眼部断層画像のそれぞれについて前記水晶体前面と前記水晶体後面を曲線で近似する近似処理手段と、
前記水晶体前面を近似する曲線と前記水晶体後面を近似する曲線の交点を前記被検眼の水晶体赤道部として決定する赤道部決定手段と、
前記水晶体赤道部を示す３次元マップを作成する３次元マップ作成手段と、
を有することを特徴とする画像処理装置。
【請求項２】
前記複数の前眼部断層画像は、前記被検眼の眼光軸を中心とするラジアルスキャンによって撮像された画像であることを特徴とする請求項１に記載の画像処理装置。
【請求項３】
前記３次元マップ作成手段は、前記赤道部決定手段により決定された前記複数の前眼部断層画像の前記水晶体赤道部の位置を補間することにより、前記３次元マップを作成することを特徴とする請求項１または２に記載の画像処理装置。
【請求項４】
前記３次元マップから前記被検眼の水晶体の最大径方向を算出する最大径方向算出手段を有することを特徴とする請求項１から３のいずれか１項に記載の画像処理装置。
【請求項５】
前記最大径方向算出手段は、前記３次元マップに前記被検眼の瞳孔中心を通過する直線を設定し、前記直線と前記３次元マップの前記赤道部との２箇所の交点の距離が最大なる場合の前記直線の基準方向に対する角度を、前記最大径方向の角度とすることを特徴とする請求項４に記載の画像処理装置。
【請求項６】
被検眼の水晶体前面および水晶体後面が写る複数の前眼部断層画像のそれぞれについて前記水晶体前面と前記水晶体後面を曲線で近似する近似ステップと、
前記水晶体前面を近似する曲線と前記水晶体後面を近似する曲線の交点を前記被検眼の水晶体赤道部として決定する赤道部決定ステップと、
前記水晶体赤道部を示す３次元マップを作成する３次元マップ作成ステップと、
を有することを特徴とする画像処理方法。
【請求項７】
前記複数の前眼部断層画像は、前記被検眼の眼光軸を中心とするラジアルスキャンによって撮像された断層画像であることを特徴とする請求項６に記載の画像処理方法。
【請求項８】
前記３次元マップ作成ステップにおいては、前記赤道部決定ステップにおいて決定した前記複数の前眼部断層画像の前記水晶体赤道部の位置を補間することにより、前記３次元マップを作成することを特徴とする請求項６または７に記載の画像処理方法。
【請求項９】
前記３次元マップから、前記被検眼の水晶体の最大径方向を算出する最大径方向算出ステップをさらに有することを特徴とする請求項６から８のいずれか１項に記載の画像処理方法。
【請求項１０】
前記最大径方向算出ステップにおいては、前記３次元マップに前記被検眼の瞳孔中心を通過する直線を設定し、前記直線と前記３次元マップの前記赤道部との２箇所の交点の距離が最大なる場合の前記直線の基準方向に対する角度を、前記最大径方向の角度とすることを特徴とする請求項９に記載の画像処理方法。
【請求項１１】
コンピュータに、請求項７から１０のいずれか１項に記載の画像処理方法を実行させることを特徴とするプログラム。
【請求項１２】
レンズ部と、
前記レンズ部の周縁部から延出する支持部と、
を有し、
前記レンズ部の強主径線の方向が被検眼の角膜の弱主径線と一致するとともに、前記支持部の最大径方向が前記被検眼の水晶体嚢の最大径方向と一致することを特徴とするトーリック眼内レンズ。
【発明の詳細な説明】
【技術分野】
【０００１】
本発明は、画像処理装置、画像処理方法、プログラムおよびトーリック眼内レンズに関する。特に、断層画像を用いて被検眼の水晶体の形状を計測する画像処理装置および画像処理方法と、この画像処理方法を実行するプログラムと、被検眼に挿入できるトーリック眼内レンズに関する。
【背景技術】
【０００２】
白内障の治療は、患者の視機能を回復することを目的とし、混濁した水晶体を除去し、水晶体嚢（水晶体が入っていた袋に相当する眼組織）の中に眼内レンズを挿入し固定するという方法が用いられる。白内障の治療で用いられる眼内レンズのうち、トーリック眼内レンズは、乱視を矯正する効果を有する。ただし、軸ズレが生じると乱視矯正の効果が低減するため、トーリック眼内レンズの支持部を水晶体嚢の赤道部位置に軸ズレしないように固定することが求められる。トーリック眼内レンズの支持部を水晶体嚢に軸ズレしないように固定するためには、白内障手術の術前検査において被検眼の水晶体嚢の３次元形状に適した形状の眼内レンズを用いることが望ましい。そのためには、白内障手術の術前検査において被検眼の水晶体嚢の３次元形状を算出できるようにする必要がある。ここで、撮影された前眼部の３次元画像をより正確な前眼部解析を行うために、３次元画像における前眼部像の傾きがなくなるように３次元画像の補正を行うことが、特許文献１に開示されている。
【先行技術文献】
【特許文献】
【０００３】
【特許文献１】特開２０１０−２２０７５７号公報
【発明の概要】
【発明が解決しようとする課題】
【０００４】
ところで、眼の構造上、測定光が前眼部の虹彩に遮られるため、被検眼の視軸に沿って虹彩よりも深部に位置する水晶体の端が３次元画像に写らない。このため、前眼部の３次元画像から水晶体の赤道部を特定することができないため、赤道部の３次元的な位置を精度良く算出することができなかった。そこで、本発明の目的の一つは、前眼部の３次元画像から水晶体の赤道部の３次元的な位置を精度良く算出可能とすることである。
【課題を解決するための手段】
【０００５】
本発明の画像処理装置は、被検眼の水晶体前面および水晶体後面が写る複数の前眼部断層画像を取得する画像生成手段と、前記複数の前眼部断層画像のそれぞれについて前記水晶体前面と前記水晶体後面を曲線で近似する近似処理手段と、前記水晶体前面を近似する曲線と前記水晶体後面を近似する曲線の交点を前記被検眼の水晶体赤道部として決定する赤道部決定手段と、前記水晶体赤道部を示す３次元マップを作成する３次元マップ作成手段と、を有することを特徴とする。
【発明の効果】
【０００６】
本発明によれば、前眼部の３次元画像から水晶体の赤道部の３次元的な位置を精度良く算出可能とすることができる。
【図面の簡単な説明】
【０００７】
【図１】図１は、本実施形態における画像処理装置を含む眼科装置の全体構成の概略図である。
【図２】図２は、本実施形態における処理を示すフローチャートである。
【図３】図３は、本実施形態における表示部の表示画面の表示例を示す図である。
【図４】図４は、前眼部断層画像撮像時のスキャンパターンの例を示す図である。
【図５】図５は、前眼部断層画像の例を示す図である。
【図６】図６は、前眼部断層画像に水晶体前面および後面の近似曲線をオーバーレイした状態の例を示す図である。
【図７】図７は、水晶体赤道部の３次元マップを上面から見た例を示す図である。
【図８】図８は、水晶体赤道部の３次元マップを表す図である。
【図９】図９は、水晶体赤道部の３次元マップの第２の例を表す図である。
【図１０】図１０は、眼内レンズをカスタマイズする方法の例を示すフローチャートである。
【図１１】図１１は、カスタマイズされた眼内レンズの例を示す正面図である。
【図１２】図１２は、カスタマイズされた眼内レンズの例を示す側面図である。
【図１３】図１３は、眼内レンズが挿入された状態の前眼部断層画像の例を表す図である。
【図１４】図１４は、眼内レンズが挿入された状態の前眼部の例を示す正面図である。
【図１５】図１５は、眼内レンズが挿入された状態の水晶体嚢の例を示す正面図である。
【発明を実施するための形態】
【０００８】
以下、本発明の本実施形態に係る画像処理装置および画像処理方法について、図面を参照して詳細に説明する。以下の説明では、画像処理装置が眼科装置に適用される構成を例に示す。眼科装置は撮像装置の例である。
【０００９】
［装置の全体構成］
図１は、本実施形態における撮像装置の例である眼科装置１の全体構成例を示す概略図である。後述する眼科装置１の画像解析部１９０の少なくとも一部が、本実施形態に係る画像処理装置の例となる。画像処理装置の例である画像解析部１９０は、本発明の実施形態に係る画像処理方法を実行する。なお、眼科装置１の全体を「眼科システム」とみなすことができ、「撮像装置」の全体を「撮像システム」とみなすことができる。
【００１０】
眼科装置１は、ＳＳ−ＯＣＴ（Swept source OCT）１００と、内部固視灯１７０と、前眼部観察部１６０と、制御部２００とを有する。そして、眼科装置１の制御部２００は、内部固視灯１７０を点灯して被検者に内部固視灯１７０を注視させ、その状態で、前眼部観察部１６０により観察される前眼部Ｅａの画像を用いて、ＳＳ−ＯＣＴ１００のアライメントを行う。アライメント完了後に、制御部２００は、ＳＳ−ＯＣＴ１００により被検眼Ｅの前眼部Ｅａの撮像を行う。
【００１１】
＜ＳＳ−ＯＣＴ１００の構成＞
ＳＳ−ＯＣＴ１００の構成例について説明する。光源１０１は、波長掃引による光源出力を行うＳＳ（Swept source）光源であり、特定の波長で発振させたままその発振波長を連続的に変化させる。光源１０１は、例えば、中心波長が１３１０ｎｍで、波長掃引幅が１００ｎｍの光を出射する。光源１０１から出射された光は、ファイバカップラ１０４に導かれる。ファイバカップラ１０４は、光源１０１から導かれた光を、測定光（「断層画像用の測定光」や「ＯＣＴ測定光」とも称する）と、測定光に対応する参照光とに分割する。ファイバカップラ１０４の分岐比は、例えば、２（参照光）：９８（測定光）である。なお、ファイバカップラ１０４の分岐比は前記比に限定されない。ファイバカップラ１０４の分岐比は、参照光よりも測定光の方が大きいことが好ましい。これは、測定光は、参照光に比較すると、被検眼による吸収や散乱の影響によって戻ってくる光の光量が低くなるためである。ただし、参照光と測定光の分岐比は、５０：５０であっても良い。
【００１２】
測定光は、光サーキュレーター１３３を介してコリメータ１０６に導かれる。そして、コリメータ１０６は、光サーキュレーター１３３から導かれた光を平行光として出射する。コリメータ１０６から出射された測定光は、走査手段の例であるＸスキャナ１０７と、レンズ１０８，１０９と、走査手段の例であるＹスキャナ１１０とを介し、ダイクロイックミラー１６１，１１１に到達する。Ｘスキャナ１０７は、ＳＳ−ＯＣＴ１００の走査手段の例であり、例えば、前眼部Ｅａにおいて測定光を水平方向にスキャンするガルバノミラーを有するガルバノスキャナが適用される。Ｙスキャナ１１０は、ＳＳ−ＯＣＴ１００の走査手段の例であり、例えば、前眼部Ｅａにおいて測定光を垂直方向にスキャンするガルバノミラーを有するガルバノスキャナが適用される。Ｘスキャナ１０７とＹスキャナ１１０は、制御部２００の駆動制御部１８０により制御される。そして、Ｘスキャナ１０７とＹスキャナ１１０は、それぞれ、被検眼Ｅの前眼部Ｅａに対して、測定光を所望のスキャンパターンで走査できる。なお、前眼部Ｅａの測定光が走査される範囲が、断層画像の取得範囲、断層画像の取得位置、測定光の照射位置の例となる。また、Ｘスキャナ１０７とＹスキャナ１１０として、共通のＸＹスキャナを適用しても良い。
【００１３】
ダイクロイックミラー１６１は、８００〜１１００ｎｍの波長の光を反射し、それ以外の波長の光を透過する特性を有する。ダイクロイックミラー１１１は、４００〜９００ｎｍの波長の光を反射し、それ以外の波長の光を透過する特性を有する。フォーカスレンズ１１４は、ステージ１１６に設けられている。駆動制御部１８０がステージ１１６を制御することにより、ダイクロイックミラー１１１を透過した測定光は、被検体である被検眼Ｅの前眼部Ｅａに焦点が合うように照射される。前眼部Ｅａに照射された測定光は、前眼部Ｅａ（図５参照）の角膜３１１・水晶体２２２・虹彩２２１・強膜の境界面で反射、散乱し、上述の光路を通って光サーキュレーター１３３に戻る。光サーキュレーター１３３に戻った測定光は、偏光コントローラー１３４を介してファイバカップラ１３５に導かれる。
【００１４】
一方、ファイバカップラ１０４で分岐された参照光は、光サーキュレーター１３１を介してコリメータ１１８に導かれる。コリメータ１１８は、光サーキュレーター１３１から導かれた参照光を、平行光として出射する。コリメータ１１８から出射した参照光は、分散補償ガラス１２０を通過し、コヒーレンスゲートステージ１２１上のミラー１２２で反射し、光サーキュレーター１３１に戻る。光サーキュレーター１３１に戻った参照光は、偏光コントローラー１３２を介してファイバカップラ１３５に導かれる。なお、ミラー１２２は、コヒーレンスゲートに配置される。コヒーレンスゲートとは、測定光の光路における参照光の光路長に対応する位置（定光の光路長と参照光の光路長との差がゼロとなる位置）のことである。コヒーレンスゲートステージ１２１は、被検眼Ｅごとの前房（前眼房）深度の相違等に対応するため、駆動制御部１８０により制御される。本実施形態では、前房深度の相違等に対応するために参照光の光路長を変更しているが、この構成に限定されない。要は、測定光の光路長と参照光の光路長との差を変更できる構成であれば良い。
【００１５】
ファイバカップラ１３５は、光サーキュレーター１３１，１３３から導かれた測定光と参照光とから干渉光（以下、「合波光」ともいう）を合成する。合成された干渉光は、差動アンプ１３６に導かれる。差動アンプ１３６は、光検出器として使用され、導かれた干渉光のビートを検出し、検出したビートをアナログ電気信号である光ビート信号として出力する。差動アンプ１３６から出力されたアナログ電気信号である光ビート信号は、アナログ／デジタル変換回路１３７に入力される。
【００１６】
また、光源１０１はｋ−ｃｌｏｃｋを出力する。ｋ−ｃｌｏｃｋは、光源１０１の波長掃引に合わせた等波数間隔のＴＴＬのトリガー信号である。光源１０１が出力したｋ−ｃｌｏｃｋは、ｋ−ｃｌｏｃｋ信号線１３８を介してアナログ／デジタル変換回路１３７に入力される。アナログ／デジタル変換回路１３７は、入力されたｋ−ｃｌｏｃｋに同期して、干渉光の光ビート信号をサンプリングする。これにより、光ビート信号がアナログ信号からデジタル信号に変換される。そして、アナログ／デジタル変換回路１３７は、デジタル信号に変換した光ビート信号を、後述する制御部２００の画像生成部１９３へ送信する。
【００１７】
ところで、ＳＳ−ＯＣＴ１００による測定可能な深さΔｚは、一定の周波数間隔δν（波数間隔にしてδｋ）で干渉光の光ビート信号をサンプリングした場合、空気中の光の速度をｃとして、次式で与えられることが知られている。なお、次式において、ｋは波数であり、νは周波数である。そして、波数ｋは周波数νに比例する。すなわち、波数ｋが等間隔であるということは、周波数νが等間隔であるということと同等である。
Δｚ＝π／２δｋ＝ｃ／４δν
この数式から明らかなように、サンプリングする周波数の間隔が狭いほど、測定可能な深さは深くなる。本実施形態では、ｋ−ｃｌｏｃｋの一例としてδν＝６．２５ＧＨｚのｋ−ｃｌｏｃｋを用いる。この場合には、Δｚ＝１２ｍｍの深さの測定が可能である。
【００１８】
偏光コントローラー１３２，１３４は、干渉光の強度が最大になるように偏光を調整する。ファイバカップラ１０４に導かれた測定光と参照光は、一般的に楕円偏光状態であり、互いに偏光が異なる成分は光干渉が起きない。そこで、偏光コントローラー１３２，１３４は、測定光と参照光の偏光を制御して揃えることで、干渉光の強度を大きくする。
【００１９】
＜前眼部観察部１６０＞
次に、前眼部観察部１６０について説明する。前眼部観察部１６０は、照明光源１１５により照明された被検眼Ｅの前眼部Ｅａの画像（前眼部画像）を生成する。照明光源１１５は、波長１０００ｎｍの照明光を発するＬＥＤ１１５ａ，１１５ｂを有する。前眼部Ｅａで反射した光は、フォーカスレンズ１１４とダイクロイックミラー１１１とを透過し、ダイクロイックミラー１６１に達する。ダイクロイックミラー１６１は、４００〜９００ｎｍの光を反射し、それ以外の光を透過する特性を有する。ダイクロイックミラー１６１で反射した光は、レンズ１６２，１６３，１６４を介し、前眼部カメラ１６５に到達する。前眼部カメラ１６５は、到達した光（すなわち前眼部の像）を受光して前眼部画像に変換する。これにより、前眼部画像（画像データ）が生成される。前眼部カメラ１６５が生成した前眼部画像は、画像解析部１９０に入力される。
【００２０】
＜内部固視灯１７０＞
次に、内部固視灯１７０について説明する。内部固視灯１７０は、内部固視灯用表示部１７１とレンズ１７２とで構成される。内部固視灯用表示部１７１には、複数の発光ダイオード（ＬＥＤ）がマトリックス状に配置されている。発光ダイオードの点灯位置（マトリックス状に配置されるＬＥＤのいずれを点灯するか）は、駆動制御部１８０により、撮像したい部位に合わせて制御される。内部固視灯用表示部１７１が発する光は、レンズ１７２を透過し、ダイクロイックミラー１１１で反射し、フォーカスレンズ１１４を透過して、被検眼Ｅに導かれる。内部固視灯用表示部１７１から出射される光の表示パターンは、駆動制御部１８０により制御される。そして、被検眼Ｅの撮像したい部位に合わせて、所望のパターンを表示する。また、内部固視灯用表示部１７１が出射する光の波長は、５２０ｎｍ（緑色）または６３０ｎｍ（赤色）であり、駆動制御部１８０により被検者の見やすい色に制御される。
【００２１】
＜制御部２００＞
次に、制御部２００について説明する。制御部２００は、眼科装置１の各部を制御する。制御部２００は、駆動制御部１８０と、画像生成部１９３と、画像解析部１９０と、表示制御部１９１と、表示部１９２とを有する。駆動制御部１８０は、Ｘスキャナ１０７と、Ｙスキャナ１１０と、コヒーレンスゲートステージ１２１と、内部固視灯用表示部１７１と、フォーカスレンズ１１４のステージ１１６とを含む眼科装置１の各部の駆動を制御する。
【００２２】
ここで、制御部２００のハードウェア構成の例について説明する。制御部２００は、ＣＰＵとＲＡＭとＲＯＭと表示デバイスとを有するコンピュータが適用される。表示デバイスは、表示部１９２の例として機能する。ＲＯＭには、眼科装置１を制御するためおよび画像処理方法を実行するためのコンピュータプログラムが格納されている。ＣＰＵは、ＲＯＭに格納されているコンピュータプログラムを読み出し、適宜ＲＡＭに展開して実行する。これにより、コンピュータは制御部２００として機能し、後述する処理動作が実現する。このように、コンピュータは、制御部２００の各部（駆動制御部１８０、画像解析部１９０、画像生成部１９３、表示制御部１９１、表示部１９２）として機能する。さらに、コンピュータは、画像処理装置の例である画像解析部１９０の各部（近似処理部１９６、曲線交点算出部１９７、３次元マップ処理部１９８、アライメント処理部１９９）としても機能する。
【００２３】
画像生成部１９３は、画像生成手段の例である。画像生成部１９３は、アナログ／デジタル変換回路１３７が出力した干渉光の光ビート信号に対して、離散的なフーリエ変換である高速フーリエ変換（Ｆａｓｔ  Ｆｏｕｒｉｅｒ  ｔｒａｎｓｆｏｒｍ：ＦＦＴ）を行う。なお、前述のとおり、アナログ／デジタル変換回路１３７は、差動アンプ１３６から入力される光ビート信号を、光源１０１から入力されるｋ−ｃｌｏｃｋに同期して、等波数間隔で離散的にサンプリングして出力する。これにより画像生成部１９３は、１つの奥行き方向の後方散乱の強度を、奥行きの距離（深さ）の関数として求める。１つの奥行き方向の走査をＡスキャンと称する。そしてＡスキャン毎に、Ｘスキャナ１０７とＹスキャナ１１０とで被検眼Ｅへの照射光を任意のスキャンパターンで走査し、画像生成部１９３は、走査結果から２次元断層画像（本実施形態では前眼部断層画像）を生成する。Ｘスキャナ１０７とＹスキャナ１１０（ガルバノスキャナ）による光の１方向への走査をＢスキャンと称する。
【００２４】
画像解析部１９０は、近似処理部１９６と、曲線交点算出部１９７と、３次元マップ処理部１９８と、アライメント処理部１９９とを有する。近似処理部１９６は、近似処理手段の例である。曲線交点算出部１９７は、赤道部決定手段の例である。３次元マップ処理部１９８は、３次元マップ作成手段および最大径方向算出手段の例である。画像解析部１９０の近似処理部１９６と曲線交点算出部１９７と３次元マップ処理部１９８とは、画像生成部１９３が生成した２次元断層画像を解析し、被検眼Ｅの水晶体２２２の赤道部位置を３次元的に決定（計測）し、赤道部位置を示す３次元マップを作成する。そして、その結果を表示制御部１９１に出力する。詳細については後述する。
【００２５】
表示制御部１９１は、画像生成部１９３が生成した２次元断層画像と、画像解析部１９０による解析結果と、前眼部カメラ１６５が生成した前眼部画像とを、表示部１９２の表示画面に表示させる。表示部１９２には、例えば、液晶ディスプレイなどの画像や文字などの情報を表示できる各種表示デバイスが適用される。そして、表示部１９２は、表示制御部１９１の制御にしたがって、後述するように種々の情報を所定の表示形態で表示する。なお、表示制御部１９１から表示部１９２へは、有線で画像データを送信してもよく、無線で送信してもよい。また、本実施形態では、表示部１９２が制御部２００に含まれる構成を示すが、この構成に限定されない。表示部１９２は、制御部２００とは別に設けられる構成であってもよい。
【００２６】
［処理動作］
次に眼科装置１の処理動作について説明する。図２は、眼科装置１の処理動作の例を示すフローチャートである。
【００２７】
＜調整＞
ステップＳ１０１の「調整」においては、制御部２００は、被検者が前額部を図略の固定板などに当接させた状態で、ＳＳ−ＯＣＴ１００と被検眼Ｅのアライメントを行う。ここでは、アライメントのうち、本実施形態に特有な処理について説明し、従来と同様の処理については省略する。例えば、ワーキングディスタンス等のＸＹＺ方向のアライメント、フォーカス、コヒーレンスゲートの調整等は、従来と同様の処理が適用できるため説明は省略する。なお、水晶体２２２をより広く撮像するため、２次元断層画像の例である前眼部断層画像の撮像の前に、被験眼Ｅに予め散瞳剤を点眼してもよい。
【００２８】
まず、測定光が被検眼Ｅの眼光軸に略一致して測定光が入射するように、被検眼Ｅの角度をアライメントする。以下、図３を参照して被検眼Ｅの角度のアライメント方法を詳細に説明する。図３は、表示部１９２に表示される画面の一例を示す模式図である。このステップＳ１０１において、表示制御部１９１は表示部１９２に、前眼部画像２０１と、水平断層画像２０２と、垂直断層画像２０３とを表示する。前眼部画像２０１は、前眼部カメラ１６５が生成する。前眼部画像２０１は、Ｘスキャナ１０７により被検眼Ｅを水平方向にスキャンし、差動アンプ１３６により検出された光ビート信号から、画像生成部１９３が生成する前眼部断層画像である。垂直断層画像２０３は、Ｙスキャナ１１０が被検眼Ｅを垂直方向にスキャンし、差動アンプ１３６により検出された光ビート信号から、画像生成部１９３が生成する前眼部断層画像である。
【００２９】
そして、図３に示すように、表示制御部１９１は、表示部１９２の表示画面上に、例えば、前眼部画像表示エリア２１と、水平断層画像表示エリア２２と、垂直断層画像表示エリア２３と、マップ表示エリア２４と、角度表示エリア２２０を設けて情報を表示する。前眼部画像表示エリア２１は、前眼部画像２０１を表示するエリアである。水平断層画像表示エリア２２は、水平断層画像２０２を表示するエリアである。垂直断層画像表示エリア２３は、垂直断層画像２０３を表示するエリアである。マップ表示エリア２４は、後述する水晶体２２２の赤道部位置の３次元マップ２１６を表示するエリアである。角度表示エリア２２０は、後述する水晶体２２２の最大径方向２１８の角度２１９の値を表示するエリアである。
【００３０】
測定光は虹彩２２１に遮られるため、水平断層画像２０２には、水晶体２２２のうちの虹彩２２１と眼光軸３１７方向に重なる部分は写らない。このため、表示部１９２の水平断層画像表示エリア２２に表示される水平断層画像２０２において、虹彩２２１と眼光軸方向に重なる部分には、水晶体２２２が映し出されない。同様に、測定光は眼瞼２２３に遮られるため、垂直断層画像２０３には、水晶体２２２のうちの眼瞼２２３と眼光軸方向に重なる部分は写らない。このため、表示部１９２の垂直断層画像表示エリア２３に表示される垂直断層画像２０３において、眼瞼２２３と眼光軸方向に重なる部分には、水晶体２２２が映し出されない。
【００３１】
次に、アライメント処理部１９９は、前眼部画像２０１の画像データから前眼部画像２０１に写っている瞳孔中心２０６を検出する。駆動制御部１８０は、Ｘスキャナ１０７とＹスキャナ１１０を制御して、検出した瞳孔中心２０６を通るようにスキャンし、水平断層画像２０２と垂直断層画像２０３のライブビュー撮像を行う。なお、表示制御部１９１は、前眼部画像表示エリア２１に表示する前眼部画像に、水平方向のスキャンライン２０７と垂直方向のスキャンライン２０８とを重ねて表示する。水平方向のスキャンライン２０７における断層画像が水平断層画像２０２であり、垂直方向のスキャンライン２０８における断層画像が垂直断層画像２０３である。
【００３２】
アライメント処理部１９９は、水平断層画像２０２の画像データから、水晶体２２２と虹彩２２１の先端部の左右２箇所の接点２０９，２１０を検出する。同様に、アライメント処理部１９９は、垂直断層画像２０３の画像データから、水晶体２２２と虹彩２２１の先端部の上下２箇所の接点２１２，２１３を検出する。そしてアライメント処理部１９９は、これら左右２箇所の接点２０９，２１０を結ぶアライメントライン２１１と、上下２箇所の接点２１２，２１３を結ぶアライメントライン２１４を決定する。表示制御部１９１は、決定したアライメントライン２１１，２１４を、水平断層画像２０２と垂直断層画像２０３のそれぞれに重畳して表示する。
【００３３】
アライメントライン２１１，２１４の図中の水平方向（測定光の入射方向に対して直角な方向）に対する角度は、被検眼Ｅの固視位置によって変わる。そこで、水平断層画像２０２のアライメントライン２１１と垂直断層画像２０３のアライメントライン２１４が同時に水平（測定光の入射方向に直角）になるように、駆動制御部１８０が内部固視灯１７０の表示位置を調整する。アライメントライン２１１とアライメントライン２１４とが同時に水平になった状態では、測定光は、被検眼Ｅに眼光軸と略一致して入射する状態となる。この状態が、被検眼Ｅの角度のアライメントがなされた状態となる。なお、駆動制御部１８０は、アライメントライン２１１，２１４が水平になるように、自動で内部固視灯１７０の表示位置を調整してもよい。また、被検眼Ｅの角度のアライメントは、適当な光源から光を被検眼Ｅに照射し、そのプルキンエ像をカメラで捉え、このプルキンエ像から被検眼Ｅの角度を検出する方法であってもよい。
【００３４】
＜前眼部断層画像撮像＞〜＜画像生成＞
ステップＳ１０２の「前眼部断層画像撮像」において、駆動制御部１８０は、光源１０１を制御して被検眼Ｅに測定光を照射する。そして、駆動制御部１８０は、Ｘスキャナ１０７とＹスキャナ１１０を制御して、前眼部Ｅａをスキャンする。差動アンプ１３６は、前眼部Ｅａからの測定光の戻り光と参照光との干渉光を受光し、ビートを検出する。検出したビートはアナログ電気信号のビート信号としてアナログ／デジタル変換回路１３７に入力される。アナログ／デジタル変換回路１３７は、差動アンプ１３６から入力されるアナログ電気信号の光ビート信号を、光源１０１から入力されるｋ−ｃｌｏｃｋに同期して、等波数間隔で離散的にサンプリングする。これにより、光ビート信号をデジタル電気信号に変換する。そして、デジタル電気信号に変換した光ビート信号を、画像生成部１９３に送信する。
【００３５】
ステップＳ１０３の「画像生成」において、画像生成部１９３は、２次元断層画像の例である複数の前眼部断層画像を生成する。このステップでは、画像生成部１９３は、スキャン回数に応じた複数の前眼部断層画像を生成することになる。そして、生成された複数の前眼部断層画像のそれぞれは、対応するスキャンラインの位置における前眼部Ｅａの断面構造（スキャンラインで切断した場合の断面構造）を示すことになる。
【００３６】
ここで、Ｘスキャナ１０７とＹスキャナ１１０によるスキャンにおけるスキャンパターンについて、図４を用いて詳細に説明する。図４は、前眼部断層画像撮像時のスキャンパターンの一例を模式的に示す図である。前眼部断層画像撮像においては、瞳孔２０５の中心である瞳孔中心２０６（眼光軸）を中心とするラジアルスキャンパターン３０３にしたがってラジアルスキャンを行う。具体的には、瞳孔中心２０６またはその近傍を通るスキャンラインに沿って、瞳孔２０５よりも広い範囲をスキャンする。さらに、スキャンラインを瞳孔中心２０６（眼軸光）周りに回転させ、等間隔に３２の方向について被検眼Ｅをスキャンする。なお、前眼部断層画像撮像の際、被検眼Ｅの眼瞼が瞳孔にかからないように眼瞼を上げてスキャンする。この際、眼瞼を上げるために開眼器を用いてもよい。
【００３７】
図５は、画像生成部１９３が生成した複数の前眼部断層画像３０１のうちの１つの前眼部断層画像３０１の例を模式的に示す図である。前眼部断層画像３０１には、角膜３１１と、虹彩２２１と、水晶体２２２（その前面と後面を含む）の一部とが写っている。なお、図５中の符号「３１５」は水晶体前面を示し、「３１６」は水晶体後面を示す。表示制御部１９１は、表示部１９２に表示する前眼部断層画像３０１に、瞳孔中心を通る眼光軸３１７をオーバーレイ表示する。前述のように、虹彩２２１により測定光が遮られるため、虹彩２２１と眼光軸３１７方向に重なる領域３１４（図５においては下側）には、水晶体２２２が写らない。このため、前眼部断層画像３０１には、水晶体２２２の赤道部が写っていない。
【００３８】
なお、ラジアルスキャンの回数（スキャンラインの数）は、３２回に限定されるものではなく、３２回以上であってもよい。ラジアルスキャンの回数が多くなるほど、高密度なデータが取得できるためである。また、前眼部断層画像撮像において水晶体２２２をより広く撮像するため、予め散瞳剤を被検眼Ｅに点眼してもよい。さらに、ラジアルスキャンパターン３０３は、一部スキャンエリアが欠損したスキャンパターンでも良い。
【００３９】
＜画像解析＞
次に、ステップＳ２０１の画像解析について説明する。画像解析の処理は、画像処理装置が実行する画像処理方法の例である。画像解析には、ステップＳ１０４の水晶体境界部の近似処理と、ステップＳ１０５の水晶体赤道部位置の決定と、ステップ１０６の水晶体赤道部の３次元マップの作成と、ステップＳ１０７の水晶体の最大径方向角度の計測とが含まれる。
【００４０】
ステップＳ１０４の水晶体境界部の近似処理と、ステップＳ１０５の水晶体赤道部位置の決定方法について、図６を参照して説明する。図６は、前眼部断層画像３０１に、水晶体前面３１５の近似曲線３２４と水晶体後面３１６の近似曲線３２５をオーバーレイした状態の例を示す図である。ステップＳ１０４では、近似処理部１９６は、近似処理手段として機能する。また、ステップＳ１０５においては、曲線交点算出部１９７は、赤道部決定手段として機能する。近似処理部１９６は、前眼部断層画像３０１に写っている水晶体前面３１５を検出し、検出した水晶体前面３１５を近似曲線３２４でフィッティングする。同様に、前眼部断層画像３０１に写っている水晶体後面３１６を検出し、検出した水晶体後面３１６を近似曲線３２５でフィッティングする。ここでは、近似曲線３２４，３２５として、円（円弧）が適用される例示す。ただし、水晶体前面３１５と水晶体後面３１６をフィッティングする近似曲線３２４，３２５は、円（円弧）に限定されない。例えば、２次曲線であってもよいし、その他の曲線であってもよい。なお、前述の被験眼Ｅへの散瞳剤の点眼は、瞳孔２０５を広げることにより水晶体を広く画像化することによって、水晶体赤道部位置を高精度に求めるためのものである。
【００４１】
ステップＳ１０５の「水晶体赤道部位置の決定」では、曲線交点算出部１９７は、水晶体前面３１５の近似曲線３２４と水晶体後面３１６の近似曲線３２５の２箇所の交点（符号「３２２」、「３２３」で示す）の位置を算出する。そして、曲線交点算出部１９７は、算出した２箇所の交点の位置を、水晶体赤道部位置３２２，３２３に決定する。これにより、前眼部断層画像３０１に写っていない水晶体赤道部位置３２２，３２３が決定される。さらに、曲線交点算出部１９７は、水晶体赤道部位置３２２，３２３どうしを結ぶ線分３２１を算出する。この線分３２１の長さ（２箇所の水晶体赤道部位置３２２，３２３どうしの距離）を、それぞれの前眼部断層画像３０１における水晶体赤道径とする。そして、曲線交点算出部１９７は、ステップＳ１０２で取得した複数（本実施形態では３２）の前眼部断層画像３０１の全てについて、それぞれ水晶体赤道部位置３２２，３２３と水晶体赤道径を算出する。このように、ステップＳ１０４とＳ１０５を実施することで、測定光が虹彩２２１に遮られて水晶体赤道部が画像に写らない場合でも、水晶体赤道部位置３２２，３２３を決定（算出）できる。
【００４２】
次に、ステップＳ１０６の「水晶体赤道部の３次元マップの作成」について、図７を参照して説明する。図７は、水晶体赤道部の３次元マップを上面から見た図の一例である。ステップＳ１０６において、３次元マップ処理部１９８は、３次元マップ作成手段の例として機能する。３次元マップ処理部１９８は、ステップＳ１０５で決定した３２の前眼部断層画像３０１における水晶体赤道部位置３２２，３２３（すなわち、２箇所の交点の位置）を、３次元空間にプロットする。この際、３２の前眼部断層画像３０１の眼光軸３１７の位置を一致させるとともに、水晶体赤道部位置３２２，３２３の方向をラジアルスキャンパターン３０３における各スキャンラインの方向に一致させる。換言すると、各スキャンラインにおける前眼部断層画像３０１から決定した水晶体赤道部位置３２２，３２３を、瞳孔中心２０６を通過する眼光軸３１７を座標原点とする３次元座標上に、各スキャンラインの相対的な角度の関係を維持してプロットする。これにより、図６に示す水晶体赤道部位置３２２，３２３に対応する位置が、図７に示す水晶体赤道部位置３２２，３２３などといった黒丸のポイントである水晶体赤道部の離散的な３次元プロットが得られる。
【００４３】
さらに、３次元マップ処理部１９８は、水晶体赤道部位置３２２，３２３の離散的な３次元プロットを、例えばスプライン補間により滑らかに接続する。これにより、３次元の閉曲線が得られる。このようにして得られた３次元の閉曲線が、水晶体赤道部の３次元マップ２１６である。なお、水晶体赤道部位置３２２，３２３を接続する方法は、スプライン補間に限定されず、例えば線形補間であってもよいし、その他の補間方法であってもよい。また、多項式フィッティングやその他のフィッティング方法であってもよい。
【００４４】
次に、ステップＳ１０７の「水晶体の最大径方向の角度の計測」について、図８を参照して説明する。ステップＳ１０７においては、３次元マップ処理部１９８は、最大径方向算出手段として機能し、基準方向に対する水晶体２２２の最大径方向２１８の角度２１９を算出する。図８は、ステップＳ１０６で作成した水晶体赤道部の３次元マップ２１６に最大径を示す直線３４１を重ねて示す図である。この直線３４１は、瞳孔中心２０６を通過する直線のうち、３次元マップ２１６の２箇所の交点（すなわち、水晶体赤道部位置３２２，３２３）どうしの距離が最も大きくなる直線である。水晶体２２２の最大径とは、前述のような直線３４１を設定した場合において、この設定した直線３４１における３次元マップ２１６の２箇所の交点どうしの距離ＤLとして算出される。例えば、３次元マップ処理部１９８は、瞳孔中心２０６を通過する直線を設定し、この設定した直線と３次元マップ２１６の２箇所の交点どうしの距離を算出する。そして、３次元マップ処理部１９８は、この直線を瞳孔中心２０６を中心に回転させ、３次元マップ２１６の全周にわたって、この距離の算出を行う。そして、その最大値を見出す。この最大値が水晶体２２２の最大径である。この距離が最大値をとる場合の直線３４１の方向が、最大径方向２１８である。最大径方向２１８の角度２１９は、この直線３４１と基準方向との角度として算出される。本実施形態では、基準方向として水平方向が適用される。ただし、基準軸は水平軸２１７に限定されるものではない。基準軸の方向は適宜設定できる。なお、一般的には、被検者が座位（座っているとき）の状態と仰臥位（仰向け）の状態とでは、被検眼Ｅが平均で２．２°回旋するといわれている。
【００４５】
ここで、３次元マップ２１６の第２の例について、図９を参照して説明する。図９は、水晶体赤道部の３次元マップ２１６の第２の例を示す図である。図９に示すように、水晶体赤道部の３次元マップ２１６が蛇行している閉曲線である場合においても、図８を参照して説明した方法と同様の方法で算出できる。すなわち、このような場合であっても、水晶体２２２の最大径は、瞳孔中心２０６を通る直線を設定し、設定した直線と水晶体赤道部の３次元マップ２１６との２箇所の交点の距離の最大値として算出できる。同様に、瞳孔中心２０６を通り水晶体赤道部の３次元マップ２１６との２箇所の交点の距離が最大となる直線３４１と水平軸２１７とのなす角度２１９を、水晶体２２２の最大径方向２１８の角度２１９として算出される。
【００４６】
＜出力＞
ステップＳ１０８の「出力」では、生成した画像および解析した結果を出力する。まず、３次元マップ処理部１９８は、３次元マップ２１６の作成と最大径方向２１８の角度２１９の算出を完了すると、これらを表示部１９２に表示するための出力情報を生成する。例えば、３次元マップ処理部１９８は、３次元マップ２１６に水平軸２１７と最大径方向２１８を示す直線３４１とを重ねて表示する画像データを、出力情報として生成する。表示制御部１９１は、この出力情報を用いて、マップ表示エリア２４に３次元マップ２１６を表示し、角度表示エリア２２０に最大径方向２１８の角度２１９の値を表示する。これにより、検者は、被検眼Ｅの水晶体２２２の赤道部位置の形状を３次元的に把握することができる。また、最大径方向２１８の角度２１９を把握できる。
【００４７】
本実施形態によれば、水晶体２２２の赤道部位置を示す３次元マップ２１６を作成することにより、水晶体赤道部の形状を３次元的に取得できる。さらに、作成した３次元マップ２１６から、水晶体２２２の最大径方向２１８の角度２１９を算出できる。
【００４８】
そして、本実施形態の画像処理方法を用いることにより、被検眼ごとに、トーリック眼内レンズの支持部が水晶体嚢の最大径方向を向くように、トーリック眼内レンズをカスタマイズできるようになる。すなわち、トーリック眼内レンズを用いた白内障手術の術前検査において、本実施形態の画像処理方法を用いて水晶体の赤道部位置の３次元マップを作成し、水晶体嚢の最大径方向を求めておくとよい。そうすれば、白内障手術の施術において、算出した水晶体嚢の最大径方向の角度を用いることにより、眼内レンズの支持部を安定して水晶体嚢内に支持させることができる。したがって、眼内レンズの軸ズレを抑制できる。なお、水晶体嚢は水晶体２２２の表面を構成する眼組織であるため、水晶体嚢の最大径方向の角度は、前述の処理で算出される水晶体２２２の最大径方向２１８の角度２１９と一致する。
【００４９】
ここで、水晶体（水晶体嚢）の最大径方向の角度を用いて、被検眼ごとにトーリック眼内レンズをカスタマイズする方法について説明する。図１０は、本実施形態に係る被検眼ごとにトーリック眼内レンズをカスタマイズする方法の例を示すフローチャートである。本実施形態では、被検眼に応じてトーリック眼内レンズの支持部の最大径方向が水晶体の最大径方向と一致するように、トーリック眼内レンズをカスタマイズする。これにより、トーリック眼内レンズの支持部を被検眼Ｅの水晶体嚢内に安定して支持させることができる。
【００５０】
ステップＳ４０１は、被験眼Ｅを測定するステップである。このステップＳ４０１は、ステップＳ３０１の「被験眼の角膜の弱主経線方向の測定」と、ステップＳ３０２の「水晶体嚢の最大径方向の角度の測定」とを含む。
【００５１】
まず、ステップＳ３０１の被験眼Ｅの角膜３１１の弱主経線方向の測定について説明する。被験眼Ｅの角膜３１１の弱主経線方向は、乱視軸と同等である。弱主経線の測定には、角膜形状解析装置またはオートケラトメータが用いられる。測定時において被検者の頭位がずれていると、弱主経線方向を正確に測定できない。そこで、測定時においては、被検者の前額部を、傾斜していない状態で図略の固定板などに当接させた状態に維持する。また、被検眼Ｅの角度のずれは弱主経線のずれにつながるため、被検眼Ｅの角度がずれないように、被検眼Ｅの角度をアライメントする。
【００５２】
次にステップＳ３０２では、水晶体嚢の最大径方向の角度を測定する。前述のとおり、本実施形態の画像処理方法により算出される水晶体２２２の最大径方向２１８の角度２１９が、このステップＳ３０２で求める水晶体嚢の最大径方向の角度と一致する。そこで、このステップＳ３０２では、まず、前述の方法を用いて被検眼Ｅの水晶体２２２の最大径方向２１８の角度２１９を測定する。そして、測定した水晶体２２２の最大径方向２１８の基準軸（本実施形態では水平軸２１７）に対する角度２１９を、水晶体嚢の最大径方向の角度とする。
【００５３】
ステップＳ３０３の「カスタマイズされたトーリック眼内レンズの作成」では、ステップＳ３０２で測定した水晶体２２２の最大径方向２１８の角度２１９を用いて、トーリック眼内レンズ３５１を作成する。図１１は、カスタマイズされたトーリック眼内レンズ３５１の構成例を模式的に示す正面図である。図１２は、トーリック眼内レンズ３５１の構成例を模式的に示す側面図である。図１１と図１２に示すように、トーリック眼内レンズ３５１は、レンズ本体となるレンズ部３５２と、水晶体嚢内においてレンズ部３５２を支持する２つの支持部３５３とを含んで構成される。２つの支持部３５３は、弾性変形可能で（弾性を有し）、平面視においてレンズ部３５２の周縁部から外側に向かって延出する。２つの支持部３５３は、例えば、ループ状または板状に形成される。２つの支持部３５３は、支持部３５３の最大径方向３５４が、Ｓ３０２で算出した水晶体２２２の最大径方向２１８の角度２１９に一致するように構成されている。なお、支持部３５３の最大径方向３５４とは、２つの支持部３５３の先端部どうしを通過する方向であって、２つの支持部３５３の先端部どうしの間の寸法が最大になる方向をいう。そして、２つの支持部３５３は、少なくとも、最大径方向３５４に弾性変形可能である。換言すると、２つの支持部３５３の先端部どうしの距離（最大径方向３５４の寸法）が、弾性的に変化できる。さらに、レンズ部３５２の強主径線方向の水平軸２１７に対する角度３４３は、Ｓ３０１で測定した被験眼Ｅの角膜３１１の弱主経線方向３５５に一致するように構成されている。さらに、レンズ部３５２の周辺部には、強主経線方向に軸マーク３５６が刻印されている。軸マーク３５６は、トーリック眼内レンズ３５１の挿入時に、回転方向の位置合わせに用いられる。トーリック眼内レンズ３５１は、これらの構成を有するように作成される。
【００５４】
ステップＳ３０４の「被験眼への眼内レンズの挿入」においては、ステップＳ３０３で作成されたトーリック眼内レンズ３５１を、被検眼Ｅの眼内に挿入して固定する。トーリック眼内レンズ３５１の挿入と固定には、例えば次の方法が適用できる。まず、被験眼Ｅの角膜周辺部の弱主経線方向に、２点のマーキング３７１を付す（図１４参照）。マーキング３７１は、例えばフックと呼ばれる先端が針状の器具で角膜３１１の所定位置に傷をつけ、マーカーで染色することにより付される。そして、トーリック眼内レンズ３５１の挿入は、一般的な白内障手術の手順によって実施できる。すなわち、まず、角膜３１１もしくは強膜を切開し、連続円形前嚢切開を行い、超音波乳化吸引術により白濁した水晶体２２２を粉砕して除去する。これにより、水晶体核と皮質のみが除去され、水晶体２２２の袋に相当する水晶体嚢が残された状態となる。そして、その水晶体嚢の中に、トーリック眼内レンズ３５１を挿入する。
【００５５】
図１３は、トーリック眼内レンズ３５１が挿入された状態の前眼部断層画像３０１を模式的に示す図である。水晶体嚢３６３は、前述した連続円形前嚢切開により開口している。図１３中の符号「３６４」は、連続円形前嚢切開による水晶体嚢３６３の開口部を示す。前述のとおり、２つの支持部３５３は、レンズ部３５２の周縁部から外側に向かって延出し、弾性変形可能な（弾性を有する）ループ状または板状に形成される。そして、２つの支持部３５３は、その最大径方向３５４に弾性的に伸縮できる。このため、トーリック眼内レンズ３５１は、水晶体嚢３６３に挿入された状態で、その２つの支持部３５３のそれぞれが弾性によって水晶体赤道部３６５に突っ張ることにより固定されている。また、水晶体嚢３６３は、複数の糸状組織であるチン氏帯３６２により眼内で眼組織に繋ぎ留められて固定されている。図１３中の符号「３６１」は、トーリック眼内レンズ３５１を挿入する開口部としての、角膜３１１もしくは強膜を切開した切開口を示す。
【００５６】
次に、ステップＳ３０５の「眼内レンズの位置合わせ」を行う。ステップＳ３０５について、図１４を参照して説明する。図１４は、トーリック眼内レンズ３５１が挿入された状態の前眼部Ｅａを模式的に示す正面図である。トーリック眼内レンズ３５１の位置合わせでは、被験眼Ｅの角膜３１１の弱主経線方向につけられたマーキング３７１と、トーリック眼内レンズ３５１のレンズ部３５２に刻印された強主経線方向の軸マーク３５６とを合致させる。トーリック眼内レンズ３５１の位置合わせは、例えば、ピンセット等を角膜３１１もしくは強膜の開口部３６１に挿入し、トーリック眼内レンズ３５１を回転させることにより実施する。図１５は、トーリック眼内レンズ３５１が挿入された状態の水晶体嚢３６３を模式的に示す正面図である。トーリック眼内レンズ３５１の位置合わせが完了すると、図１５に示すように、被検眼Ｅの角膜３１１の弱主径線方向３８２とレンズ部３５２の強主径線方向３８３が一致する状態となる。２つの支持部３５３の最大径方向３５４と被検眼Ｅの水晶体嚢３６３の最大径方向２１８とが一致する状態となる。
【００５７】
本実施形態に係るトーリック眼内レンズ３５１は、レンズ部３５２の強主径線の方向が被検眼Ｅの弱主径線と一致する状態であると、乱視の矯正に最も効果を発揮する。そして、この状態では、２つの支持部３５３が水晶体嚢３６３の最大径方向２１８に位置するから、トーリック眼内レンズ３５１は、水晶体嚢３６３において最も安定する状態となる。したがって、白内障術後において、トーリック眼内レンズ３５１の軸ズレを抑制できる。
【００５８】
以上、本発明の実施形態について説明したが、本発明は前記実施形態に限定されるものではない。例えば、制御部２００の構成は、前述の構成に限定されない。制御部２００は、単一のハードウェアによって実現される構成であってもよく、複数のハードウェアが協働することにより実現される構成であってもよい。また、前述のとおり、表示部１９２は制御部２００に含まれなくてもよい。さらに、制御部２００は外部の記憶媒体を有し、この外部の記憶媒体に眼科装置１を制御するためのコンピュータプログラムがコンピュータ読取り可能に格納されていてもよい。この場合には、ＣＰＵはこの外部の記憶媒体からコンピュータプログラムを読み出して実行する。
【００５９】
さらに、画像解析部１９０が制御部２００に含まれない構成であってもよい。この場合には、画像解析部１９０が、ＣＰＵとＲＯＭとＲＡＭとを有するコンピュータが適用される。ＲＯＭには、本実施形態に係る画像処理方法を実行するためのコンピュータプログラムが格納されている。そして、ＣＰＵがＲＯＭからこのコンピュータプログラムを読み出し、適宜ＲＡＭに展開して実行する。これにより、コンピュータが画像処理装置の例である画像解析部１９０として機能し、本実施形態に係る画像処理方法が実行される。
【００６０】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラムを記憶したコンピュータ読取り可能な記憶媒体は本発明を構成することになる。
【図１】
2016029968.tif 000003
【図２】
2016029968.tif 000004
【図３】
2016029968.tif 000005
【図４】
2016029968.tif 000006
【図５】
2016029968.tif 000007
【図６】
2016029968.tif 000008
【図７】
2016029968.tif 000009
【図８】
2016029968.tif 000010
【図９】
2016029968.tif 000011
【図１０】
2016029968.tif 000012
【図１１】
2016029968.tif 000013
【図１２】
2016029968.tif 000014
【図１３】
2016029968.tif 000015
【図１４】
2016029968.tif 000016
【図１５】
2016029968.tif 000017